【事件の表示】
　特願２００９−１８８９号「遊技機」拒絶査定不服審判事件〔平成２２年７月２２日出願公開、特開２０１０−１５８３５７号〕について、次のとおり審決する。
【結　論】
　本件審判の請求は、成り立たない。
【理　由】
１　手続の経緯の概要
　本願は、平成２１年１月７日の出願であって、平成２５年１月３０日付けで拒絶の理由が通知され、同年４月３日に意見書及び手続補正書が提出されたところ、同年１０月２日付けで拒絶査定がなされ（発送日：同年１０月８日）、それに対し、平成２６年１月８日に拒絶査定不服審判の請求がなされると同時に手続補正書が提出され、当審にてさらに、同年１２月２４日付けで拒絶理由を通知したところ、平成２７年３月５日に意見書及び手続補正書が提出されたものである。
　
２　本願発明
　本願の請求項１に係る発明（以下「本願発明」という。）は、平成２７年３月５日付け手続補正により補正された明細書、特許請求の範囲、及び、図面の記載からみて、その特許請求の範囲の請求項１に記載された事項により特定される次のとおりのものである。
「遊技盤を備える遊技機であって、
　遊技盤の中央部に画像を表示する画像表示部と、
　前記画像表示部の領域外に主に位置する前記遊技盤上の第１の位置と当該第１の位置とは異なる当該画像表示部の領域内に主に位置する第２の位置との間を、所定の軸を中心として揺動する揺動部材と、
　前記揺動部材の揺動部材本体の手前側に取り付けられ、当該揺動部材が前記第１の位置に位置するときと当該揺動部材が前記第２の位置に位置するときとで同様な向きとなるように当該揺動部材の位置に応じて当該揺動部材に対して回転する装飾図柄と、
　前記装飾図柄に取り付けられ前記遊技盤に垂直な方向に前記揺動部材本体の裏側まで延びる回転軸と、
　前記揺動部材本体の裏側に配置されて、前記装飾図柄に対して前記回転軸を回転中心とする回転駆動力を付与する回転手段と、
を含み、
　前記回転手段は、通電することにより前記遊技盤に平行な方向に直進動作を行うシャフトを有するソレノイドであり、
　前記揺動部材本体の裏側に配置されて、前記シャフトと前記装飾図柄とを連結し、当該シャフトの直進動作を当該装飾図柄の回転動作に変換する連結機構をさらに有する
ことを特徴とする遊技機。」
　
３　刊行物の記載
　当審における拒絶の理由に刊行物１として提示された特開２００３−１９０４０１号公報（以下「刊行物」という。）には、図面とともに以下の事項が記載されている（下線は審決で付した。以下同じ。）。
　
　ア　【特許請求の範囲】
【請求項８】  請求項４から請求項７のうちいずれか１項に記載の遊技機であって、
役物装置内に立設された第２の回転軸に対し回動可能に軸支されたリンクアーム有し、可動アーム及びリンクアームのそれぞれの一端が装飾体により連結されることで４節の平行リンク機構が構成されている
　
　イ　「【発明の詳細な説明】
【０００１】
【発明の属する技術分野】この発明は、例えば、パチンコ機（雀球機、アレンジボール機等も含む）、スロットマシン等の
遊技機
・・・
【０００３】
【発明が解決しようとする課題】
・・・
【０００５】本発明は上記のような問題点に鑑みて創案されたものであり、遊技機において往復動作する可動体の反転時あるいは停止時におけるガタツキ等を、簡易な機構によって抑制できる技術を提供することにある。」
　
　ウ　「【００１６】
【発明の実施の形態】本発明の実施の形態を、以下図面を参照しながら説明する。
〔第１の実施の形態〕第１の実施の形態は、本発明をパチンコ機に適用したものである。図１は、パチンコ機１２の外観を示す正面図である。まず、パチンコ機１２の構成例について概説する。当該
パチンコ機１２の遊技盤１４
　
　エ　「【００２１】次に、上述のように構成されたパチンコ機１２において、
遊技盤１４の略中央部に装着された複合役物装置１６
【００２２】図３は、複合役物装置１６の正面図である。また、図４は、図３における複合役物装置１６のＡ−Ａ線断面図であり、図５は、図３における複合役物装置１６のＢ−Ｂ線断面図である。ただし、図３〜図５では、複合役物装置１６の内部構造を示すために、プラスチックにより「屋根」の形状を模して形成された前面装飾部材２００を取り外した状態における複合役物装置１６を示している。前述したように、
複合役物装置１６は
液晶表示装置２０
を備えている
　
　オ　「【００２４】また、図３に示すように、
液晶表示装置２０の画面
【００２５】図３、図４に示すように、
装飾体２２は、
長尺状に形成された可動アーム２０１の下端に装着されている
可動アーム２０１は
複合役物装置１６の背面ケース部材２０８から略垂直に立設された第１の回転軸２０３に対して回動可能に装着されている
可動アーム２０１及び装飾体２２は右端側の位置に待機した状態となっている
【００２６】また、図３に示すように、
装飾体２２は
リンクアーム２１２の下端に対して回動可能に装着されている
【００２７】図３に示すように、本実施の形態では、背面ケース部材２０８に対して回動可能に装着された可動アーム２０１とリンクアーム２１２、及び、それら両アームの下端部を互いに連結する装飾体２２によって４節の平行リンク機構が構成されている。この場合の「４節」とは、第１の回転軸２０３、第２の回転軸２３３、
可動アーム２０１の下端と装飾体２２との連結部
装飾体２２が
左右に揺動されると、円弧状に揺動されている最中であっても、その装飾体２２の向きはほぼ一定の状態に保たれる
【００２８】図６は、装飾体２２及び
可動アーム２０１が左端側の位置にまで揺動された状態
装飾体２２は、可動アーム２０１及びリンクアーム２１２により構成される平行リンク機構の下端に設けられて揺動されるので、右端側から左端側の位置にまで円弧状に揺動される最中であっても、その装飾体２２に描かれた人物（キャラクター）の向きは直立した状態に維持されている
　
　カ　上記オの記載事項及び【図３】、【図６】の図示内容によると、可動アーム２０１は、待機した状態となっている
右端側の位置において、液晶表示装置２０の画面外にあり
左端側の位置において、液晶表示装置２０の画面内にある
　
　キ　上記オの記載事項及び【図３】、【図６】の図示内容によると、
装飾体２２は、可動アーム２０１の下端の前面側に装着される
　
　ク　上記オの記載事項及び【図７】の図示内容からみて、
装飾体２２の裏面側に設けられた可動アーム２０１の下端との連結部は、遊技盤からみて略垂直に立設され、可動アーム２０１の裏面側にまで延びる
　
　ケ　上記ア〜オの記載事項及び上記カ〜クの認定事項を総合すると、刊行物１には、次の発明が記載されていると認められる（以下「刊行物発明」という。）。
「遊技盤１４を有するパチンコ機１２であって、
　遊技盤１４の略中央部に装着された複合役物装置１６が備えている液晶表示装置２０と、
　液晶表示装置２０の画面外であり、待機した状態となっている右端側の位置と、液晶表示装置２０の画面内であり、左端側の位置との間で第１の回転軸２０３に対して回動可能に装着され、揺動する、装飾体２２が装着された可動アーム２０１と、
　長尺状に形成され、揺動する可動アーム２０１の下端の前面側に装着され、右端側から左端側の位置にまで円弧状に揺動されている最中であっても、描かれた人物（キャラクター）の向きは直立した状態に維持されている装飾体２２と、
　装飾体２２の裏面側に設けられ、遊技盤からみて略垂直に立設された、可動アーム２０１の裏面側にまで延びる、可動アーム２０の下端との連結部と、
　複合役物装置１６内に立設された第２の回転軸に対し回動可能に軸支されたリンクアーム２１２を有し、可動アーム２０１及びリンクアーム２１２のそれぞれの下端が装飾体により連結されることで構成される４節の平行リンク機構とを備えた
　パチンコ機１２。」
　
４　対比
　刊行物発明と本願発明とを対比する（以下、「刊行物発明」、「本願発明」を、それぞれ「前者」、「後者」という。）。
　ア　前者における「遊技盤１４を有するパチンコ機１２」は、後者における「遊技盤を備える遊技機」に相当する。
　
　イ　前者における「遊技盤１４の略中央部に装着された複合役物装置１６が備えている液晶表示装置２０」は、「複合役物装置１６」が遊技盤１４の略中央部に設けられていることから、後者における「遊技盤の中央部に画像を表示する画像表示部」に相当する。
　
　ウ　前者における「液晶表示装置２０の画面外であり、待機した状態となっている右端側の位置と、液晶表示装置２０の画面内であり、左端側の位置との間で第１の回転軸２０３に対して回動可能に装着され、揺動する、装飾体２２が装着された可動アーム２０１」と、後者における「画像表示部の領域外に主に位置する遊技盤上の第１の位置と当該第１の位置とは異なる当該画像表示部の領域内に主に位置する第２の位置との間を、所定の軸を中心として揺動する揺動部材」とを対比する。
　前者における「液晶表示装置２０の画面外であり、待機した状態となっている右端側の位置」、「液晶表示装置２０の画面内であり、左端側の位置」、及び、「第１の回転軸２０３」は、それぞれ、後者における「画像表示部の領域外に主に位置する遊技盤上の第１の位置」、「第１の位置とは異なる当該画像表示部の領域内に主に位置する第２の位置」、及び、「所定の軸」に相当する。
　そして、前者における「装飾体２２」と「可動アーム２０１」とは、両者併せて一つの揺動する部材を構成することから、後者における「揺動部材」に相当する。
　したがって、前者の「揺動する、装飾体２２が装着された可動アーム２０１」は、後者の「揺動部材」に相当する。
　
　エ　前者における「揺動する可動アーム２０１の下端の前面側に装着され、右端側から左端側の位置にまで円弧状に揺動されている最中であっても、描かれた人物（キャラクター）の向きは直立した状態に維持されている装飾体２２」と、後者における「揺動部材の揺動部材本体の手前側に取り付けられ、当該揺動部材が第１の位置に位置するときと当該揺動部材が前記第２の位置に位置するときとで同様な向きとなるように当該揺動部材の位置に応じて当該揺動部材に対して回転する装飾図柄」とを対比する。
　前者における「可動アーム２０１」は、前面側に「装飾体２２」が装着されることから、後者における「揺動部材本体」に相当する。
　そして、前者における「揺動する可動アーム２０１の下端の前面側に装着され」ることは、後者における「揺動部材の揺動部材本体の手前側に取り付けられ」ることに相当する。
　また、前者における「右端側から左端側の位置にまで円弧状に揺動されている最中であっても、描かれた人物（キャラクター）の向きは直立した状態に維持されている」ことは、装飾体２２を直立した状態に維持するために、装飾体２２が円弧状に揺動されている最中に、４節の平行リンク機構によって、装飾体２２が可動アーム２０１に対して、相対的に回転することによることは明らかであるから、後者における「揺動部材が第１の位置に位置するときと当該揺動部材が前記第２の位置に位置するときとで同様な向きとなるように当該揺動部材の位置に応じて当該揺動部材に対して回転する」ことに相当する。
　したがって、前者における「装飾体２２」は、後者における「装飾図柄」に相当する。
　
　オ　前者における「装飾体２２の裏面側に設けられ、遊技盤からみて略垂直に立設された、可動アーム２０１の裏面側にまで延びる、可動アーム２０１の下端との連結部」と、後者における「装飾図柄に取り付けられ遊技盤に垂直な方向に揺動部材本体の裏側まで延びる回転軸」とを対比する。
　前者における「連結部」は、上記エにおいて検討したように、４節の平行リンク機構によって、装飾体２２を可動アーム２０１に対して、相対的に回転させるための回転軸として機能するものである。
　したがって、前者における「装飾体２２の裏面側に設けられ、遊技盤からみて略垂直に立設された、可動アーム２０１の裏面側にまで延びる、可動アーム２０の下端との連結部」は、後者における「装飾図柄に取り付けられ遊技盤に垂直な方向に揺動部材本体の裏側まで延びる回転軸」に相当する。
　
　カ　前者における「複合役物装置１６内に立設された第２の回転軸に対し回動可能に軸支されたリンクアーム２１２を有し、可動アーム２０１及びリンクアーム２１２のそれぞれの下端が装飾体により連結されることで構成される４節の平行リンク機構」と、後者における「揺動部材本体の裏側に配置されて、装飾図柄に対して回転軸を回転中心とする回転駆動力を付与する回転手段」「を含み」、「回転手段は、通電することにより遊技盤に平行な方向に直進動作を行うシャフトを有するソレノイドであり、揺動部材本体の裏側に配置されて、シャフトと装飾図柄とを連結し、当該シャフトの直進動作を当該装飾図柄の回転動作に変換する連結機構をさらに有する」こととを対比する。
　前者における「平行リンク機構」は、少なくともリンクアーム２１２が、装飾体２２に設けられた回転軸として機能する「連結部」を介して、装飾体２２を可動アーム２０１に対して回転させるための駆動力を付与する手段として機能するものであるから、後者における「回転手段」に相当する。
　したがって、両者は、「装飾図柄に対して回転軸を回転中心とする回転駆動力を付与する回転手段を含む」ことで共通する。
　
　キ　上記ア〜カより、前者と後者とは、
「遊技盤を備える遊技機であって、
　遊技盤の中央部に画像を表示する画像表示部と、
　前記画像表示部の領域外に主に位置する前記遊技盤上の第１の位置と当該第１の位置とは異なる当該画像表示部の領域内に主に位置する第２の位置との間を、所定の軸を中心として揺動する揺動部材と、
　前記揺動部材の揺動部材本体の手前側に取り付けられ、当該揺動部材が前記第１の位置に位置するときと当該揺動部材が前記第２の位置に位置するときとで同様な向きとなるように当該揺動部材の位置に応じて当該揺動部材に対して回転する装飾図柄と、
　前記装飾図柄に取り付けられ前記遊技盤に垂直な方向に前記揺動部材本体の裏側まで延びる回転軸と、
　前記装飾図柄に対して前記回転軸を回転中心とする回転駆動力を付与する回転手段と
を含む遊技機。」
　の点で一致し、以下の点で相違する。
　
［相違点］
　装飾図柄に対して回転駆動力を付与する回転手段に関して、
　本願発明は、揺動部材本体の裏側に配置され、通電することにより遊技盤に平行な方向に直進動作を行うシャフトを有するソレノイドであり、揺動部材本体の裏側に配置されて、シャフトと装飾図柄とを連結し、当該シャフトの直進動作を当該装飾図柄の回転動作に変換する連結機構をさらに有するのに対して、
　刊行物発明は、平行リンク機構を備えるが、当該発明特定事項を具備するか否か不明である点。
　
５　当審の判断
（１）上記相違点について検討する。
　回転駆動力を付与する回転手段として、ソレノイドのシャフトと部材とを連結すると共に、シャフトの直進運動を、部材の回転運動に変換する連結機構をシャフトに加えてさらに備えることは、本願の出願前に周知の技術事項である（例えば、特開２００７−１１７５４３号公報には、アタッカソレノイド３７２のプランジャ３７１と伝達部材３７３とを結合すると共に、プランジャ３７１の前後方向の進退に伴って、伝達部材３７３を軸周りに回動させるための、プランジャ３７１先端の鍔部３７８と伝達部材３７３の係合部３７９とから構成される連結機構を備える遊技機が記載され（【０１１７】〜【０１１９】、【図２７】を参照。）、
　また、特開２０００−３１２７３７号公報には、ソレノイド３０１の作動部とピン係合板３０４とを結合すると共に、ソレノイドのオン、オフによりピン係合板３０４を反時計方向に回転させるための、ソレノイド３０１の作動部の先端とピン係合板３０４の左下の角部とを結合するピン３０７（連結機構）を備える連結ユニットが記載されている（【００５４】〜【００５６】、【図１１】）を参照。）。）。
　したがって、刊行物発明の４節の平行リンク機構に換えて、上記周知の技術事項を適用すること、すなわち、平行リンク機構を構成するリンクアーム２１２をシャフトと連結機構とを有する回転手段に置き換え、当該回転手段によって装飾体２２を可動アーム２０１に対して回転させるための駆動力を付与することは当業者が容易になし得たものである。
　
　ここで、遊技機の技術分野において、ソレノイドを具備する各種装置において、ソレノイド及びソレノイドに付随する部品を各種装置の遊技者側から見えない裏側に配置することは、従来から慣用的に行われている技術事項である（例えば、上記特開２００７−１１７５４３号公報の【図２７】には、ソレノイド３７２をアタッカ装置３３の遊技者側から見えない背面に配置したことが図示されている）。
　したがって、刊行物発明に上記周知の技術事項を適用するに際して、回転手段としてのソレノイド及びソレノイドに付随する連結機構の取付箇所を可動アームの裏側に配置することは、当業者が必要に応じてなし得た得たものである。
　
　ゆえに、刊行物発明に上記周知の技術事項を適用することにより、上記相違点に係る本願発明の構成にすることは当業者が容易になし得たものである。
　
（２）小括
　上記（１）において検討したように、本願発明は、当業者が刊行物発明及び周知の技術事項に基づいて容易に発明をすることができたものである。
　また、本願発明により奏される効果は、当業者が、刊行物発明及び周知の技術事項から予測し得る範囲内のものであって、格別のものではない。
　
６　むすび
　以上のとおりであるから、本願発明は、特許法第２９条第２項の規定により特許を受けることができない。
　したがって、本願は他の請求項について検討するまでもなく拒絶すべきものである。
　
　よって、結論のとおり審決する。